(57)【特許請求の範囲】
【請求項１】
器体および蓋体が、蝶番状動作部分を共有して、連続一体に成形されており、器体および蓋体の周辺部を重ね合わせて固定することにより、閉蓋容器が形成される包装容器材において、器体または蓋体の、一方の周辺部分に凸部を、もう一方の周辺部分に該凸部と嵌合する凹部を形成し、該凸部の、蝶番状動作部分から近い方の該凸部の高さｈ1を、蝶番状動作部分から遠い方の該凸部の高さｈ2よりも大きくなるようにすると共に、該凸部の高さが蝶番状動作部分に近い方から遠い方へ漸次低くなるように成形し、一方、該凹部の高さをｈ2以下で均一の高さになるように成形することにより、閉蓋容器形成時に容器外部からの異物混入を防止するようにしたことを特徴とする包装容器材。
【請求項２】
器体の周辺部分が凸型形状、蓋体の周辺部分が凹型形状であることを特徴とする請求項1記載の包装容器材。
【請求項３】
食品用であることを特徴とする請求項１または2記載の包装容器材。
【請求項４】
プラスチックによって形成されていることを特徴とする請求項1、２または3記載の包装容器材。
【請求項５】
凸部の側面形状が、下記の何れかの形状であることを特徴とする請求項1〜4の何れか記載の包装容器材。
0003695492.tif 000003
【発明の詳細な説明】
【０００１】
【発明の属する技術分野】
本発明は、生鮮食品、加工食品等の食品類の包装に好適であり、その他、装身具、文房具、電子部品、機械部品、工具等の包装用にも有用な包装容器材に関し、さらに詳しくは容器外部からの異物混入を防止を目的とする特定の構造を有する、器体および蓋体が、蝶番状動作部分を共有して、連続一体に成形された包装容器材、特に食品用包装容器材に関するものである。
【０００２】
【従来技術】
洋菓子、サンドウィッチ、惣菜、ハンバーガー、詰め合わせ料理ないし弁当等の加工食品用包装容器材として、蝶番状動作部分を共有して連続に成形された器体・蓋体一体型包装容器材が用いられている。従来使用されてきた一体型包装容器材は、器体へ被包装物を入れて蝶番状動作部分で曲げて、器体および蓋体の周辺部のフランジ部分を重ねあわせて繋止することにより閉蓋容器を形成する。しかし、蝶番状動作部分の反発力が強いと、閉蓋容器形成時に容器側面部の蝶番状動作部分に近いフランジ部分が完全に密着せず、保管・運搬時に隙間から昆虫等の異物が混入することがある。
【０００３】
【発明が解決しようとする課題】
上記のような問題点を解決するために、図５のように器体の周辺部に凸部を設けて虫返しとし、側面部の器体と蓋体の嵌合部分に隙間が空いても凸部の側面が壁となって異物の混入を防ぐように形成された包装容器材も使用されているが、特に、シュークリーム等の洋菓子の包装容器の場合、蝶番状動作部分が長い横長の包装容器を用いる場合が多く、蝶番状動作部分の反発力が強いため、閉蓋容器形成時に、図６のように容器側部の蝶番状動作部分に近い側面部の器体と蓋体の嵌合部分の隙間が大きくなって、器体の周辺部の凸部による異物の混入防止の作用が得られないことがあり、問題となっていた。
器体の周辺部の凸部の高さを全体的に高くすると嵌合時に凸部と凹部が引っかかり易く、嵌合がスムーズに行われにくくなるため、本発明者は、閉蓋容器形成後に、側面部の器体と蓋体の嵌合部分に隙間が空いても、容器内部に異物が混入せず、かつ嵌合がスムーズに行われるよう成形することにより上記問題点を解決することを見出したのである。
【０００４】
【課題を解決するための手段】
本発明は、器体および蓋体が、蝶番状動作部分を共有して、連続一体に成形されており、器体および蓋体の周辺部を重ね合わせて固定することにより、閉蓋容器が形成される包装容器材において、器体または蓋体の、一方の周辺部分に凸部を、もう一方の周辺部分に該凸部と嵌合する凹部を形成し、該凸部の、蝶番状動作部分から近い方の該凸部の高さｈ1を、蝶番状動作部分から遠い方の該凸部の高さｈ2よりも大きくなるようにすると共に、該凸部の高さが蝶番状動作部分に近い方から遠い方へ漸次低くなるように成形し、一方、該凹部の高さをｈ2以下で均一の高さになるように成形することにより、閉蓋容器形成時に容器外部からの異物混入を防止するようにしたことを特徴とする包装容器材を、さらに好ましくは食品用包装容器材を提供するものである。
【０００５】
【発明の実施の形態】
本発明の包装容器材の構造態様を図１〜図４に例示する。
図１は、本発明の実施例の一つである包装容器材の側面図、図２は図１の包装容器材の平面図、図３は図１の包装容器材によって形成される閉蓋容器の外観斜視図、図４は図１の包装容器材の作用を示す説明図である。
【０００６】
図１、２に示したごとく、器体Ａおよび蓋体Ｂが、蝶番状動作部分３を共有して、連続一体に成形されており、器体の周辺部分に形成された凸部１と蓋体の周辺部分に形成された凹部２を嵌合し、器体Ａおよび蓋体Ｂの周辺部フランジ部分４、５を重ね合わせて固定することにより、図３のような閉蓋容器Ｃを形成する。器体の周辺部分に形成された凸部１において、蝶番状動作部分３から近い方の凸部１ａの高さｈ1が、蝶番状動作部分３から遠い方の凸部１ｂの高さｈ2よりも大きくなるように成形し、一方、蓋体の周辺部分に形成された該凸部１と嵌合する凹部２の高さをｈ2以下で均一の高さになるよう成形することにより、閉蓋容器Ｃ形成時に、容器外部からの異物混入を防止するようにしたことを特徴とする。
【０００７】
図３に示したごとく、蝶番状動作部分が長い横長の容器の場合、蝶番状動作部分の反発力が強くなり、閉蓋容器形成時に蝶番状動作部分に近いフランジ部分が完全に密着せず、保管・運搬時に隙間が生じ易いが、ｈ1＞ｈ2であることにより、図４のように、器体の周辺部分に形成された凸部１と蓋体の周辺部分に形成された凹部２が密着し、閉蓋時に器体Ａの周辺部に形成された凸部１の側面が閉蓋容器の内側で壁となり、隙間をふさぐようになる。該凸部１は蝶番状動作部分３から遠い方の凸部１ｂの高さｈ2を従来の包装容器材の嵌合部凸部と同程度の高さに設定し、蝶番状動作部分３から近い方の凸部１ａの高さｈ1を従来の包装容器材の嵌合部凸部よりも高く設定し、一方、該凸部１と嵌合する蓋体Ｂの周辺部分に形成された凹部２を従来と同様の高さｈ2で均一になるよう成形することにより、該凸部１によって器体Ａと蓋体Ｂの嵌合が妨げられず、かつ該凸部１と該凹部２が密着して、異物の混入を防止することが可能になる。
【０００８】
周辺部に形成される凸部は、器体側であっても蓋体側であっても良く、閉蓋容器形成時に、該凸部を形成した側と相対する側の周辺部に、該凸部と嵌合する凹部を設ければ良い。また好ましくは、器体の周辺部が凸型形状、蓋体の周辺部が凹型形状であるのが良い。
【０００９】
本発明に用いる器体と蓋体は、各種プラスチック、紙、アルミニウム等の金属等により、成形することができ、好ましくは硬質ないしは半硬質熱可塑性プラスチック成形材料を用いるのが良い。これらのプラスチック成形材料は、フィルムまたはシート状に加工し、次いで真空成形法や圧空成形法等により、熱成形するか、または該成形材料を直接射出成形するかして包装容器材を容易に量産することができる。
なお、上記の成形材料としては、例えば、塩化ビニール系樹脂、ポリオレフィン系樹脂、ポリスチレン系樹脂、ポリエステル系樹脂、ポリアクリル系樹脂、ポリカーボネート系樹脂各種の熱可塑性樹脂を主材とする材料を使用することができる。
【００１０】
本発明の包装容器材は、それから組み立てられる包装容器の形状、例えば直方体、円板体、円筒体、楕円体、球体等の各種形状を形成し得るように成形される。
【００１１】
本発明の包装容器材から閉蓋容器を形成する際の、器体と蓋体の固定方法は特に限定はされず、器体および蓋体にそれぞれフランジを設け、該フランジを重ね合わせて、粘着テープ、ステープラー、熱融着等の一般の方法により繋止してもよいし、器体および蓋体のそれぞれ周辺部に設けた凸部および凹部の相対する適宜の部位に、相互に嵌合し、繋止し合う構造部分を設けても良い。
【００１２】
本発明における、蝶番状動作部分３から近い方の凸部１ａの高さｈ1と蝶番状動作部分３から遠い方の凸部１ｂの高さｈ2の差は、それぞれ器体および蓋体より形成される閉蓋容器の大きさ、形状、構成材料の厚み、物性、および収容物の形態、荷重等に対応させて、設定される。
ｈ1とｈ2の差が、過小であると、本発明の目的とする効果が得られ難くなり、過大であると、器体と蓋体の嵌合が阻害される。
【００１３】
周辺部分に形成された凸部の側面形状は、ｈ1＞ｈ2であり、閉蓋時に該凸部の側面が閉蓋容器の内側で壁となるようであれば、特に限定はされず、例えば下記のような形状が挙げられる。
0003695492.tif 000002
【００１４】
また、周辺部分に形成された凹部の側面形状は、高さがｈ2以下で均一であり、閉蓋時に上述の周辺部分に形成された凸部と密着する形状であれば、特に限定はされない。
【００１５】
例えば、厚さ０．２ｍｍの透明硬質塩化ビニールフィルムを真空成形して作成してなる、内寸が長辺２４０ｍｍ、短辺８５ｍｍ、器体の高さ３０ｍｍ、蓋体の高さ３５ｍｍの概ね直方体の容器形成用の連続一体容器の場合、器体の周辺部分に形成された凸部の、蝶番動作部分３から近い方の凸部1ａの高さｈ1を７ｍｍ、蝶番動作部分３から遠い方の凸部１ｂの高さｈ２を４ｍｍにし、該凸部の高さが蝶番動作部分３から近い方から遠い方へ漸次低くなるよう成形し、蓋体の周辺部分に形成された凹部２の高さを４ｍｍで均一になるよう成形するのが良い。
【００１６】
また、蝶番状動作部分は、端部に綾線を設け、反発力を弱めてもよい。
【００１７】
【発明の効果】
本発明の包装容器材は、上述の構成であるので、従来の包装容器材に比較して、閉蓋容器形成時に、器体と蓋体の嵌合が阻害することなく、容器外部からの異物混入を防止することが可能になる。従って、本発明の包装容器材は、食品用に限らず、異物混入を嫌う物品の包装容器材として甚だ好適である。
【図面の簡単な説明】
【図１】本発明の実施例の一つである包装容器材の側面図である。
【図２】図１の包装容器材の平面図である。
【図３】図１の包装容器材から形成される閉蓋容器の外観斜視図である。
【図４】（ａ）図１の包装容器材から形成される閉蓋容器の側面図である。（ｂ）本発明の包装容器材の作用を説明する（ａ）のＸ−Ｘ’断面の嵌合部拡大図である。
【図５】従来の包装容器材の側面図である。
【図６】（ａ）従来の包装容器材から形成される閉蓋容器の側面図である。（ｂ）（ａ）のＹ−Ｙ’断面の嵌合部拡大図である。
【符号の説明】
Ａ  器体
Ｂ  蓋体
Ｃ  包装容器
１  器体周辺部に形成された凸部
１ａ  蝶番状動作部から近い方の凸部
１ｂ  蝶番状動作部から遠い方の凸部
２  蓋体周辺部に形成された凹部
３  蝶番状動作部
４  器体フランジ部分
５  蓋体フランジ部分
６  熱融着部
７  異物
ｈ1  蝶番状動作部分から近い方の凸部の高さ
ｈ2  蝶番状動作部分から遠い方の凸部の高さ
【図１】
0003695492.tif 000004
【図２】
0003695492.tif 000005
【図３】
0003695492.tif 000006
【図４】
0003695492.tif 000007
【図５】
0003695492.tif 000008
【図６】
0003695492.tif 000009